【手続補正書】
【提出日】平成18年10月25日(2006.10.25)
【手続補正１】
【補正対象書類名】特許請求の範囲
【補正対象項目名】全文
【補正方法】変更
【補正の内容】
【特許請求の範囲】
【請求項１】
電子メールを受信する受信手段と、
前記電子メールに添付されたファイルに含まれるデータを変換する変換手段とを備え、
前記変換手段は、
前記添付ファイルに含まれるデータを、予め定められた第１のデータ形式で表現されるデータへ変換する第１の変換手段と、
前記添付ファイルに含まれるデータを、予め定められた第２のデータ形式で表現されるデータへ変換する第２の変換手段とを含み、
さらに、
変換により生成された前記第１のデータ形式で表現されるデータと、前記第２のデータ形式で表現されるデータとを格納する記憶手段と、
前記第１の変換手段および前記第２の変換手段から出力されるデータを送信するための送信手段とを備える、データ変換装置。
【請求項２】
前記第１のデータ形式で表現されるデータは、変換された前記ファイルのリストを表わすデータを含み、
前記第２のデータ形式で表現されるデータは、前記ファイルの変換により生成された画像であり、
前記記憶手段は、前記ファイルのリストと前記画像とを対応付けて記憶する、請求項１に記載のデータ変換装置。
【請求項３】
請求項２に記載のデータ変換装置とデータを送受信する携帯通信端末であって、
前記第１のデータ形式で表現されるデータを受信して、前記ファイルのリストを表示する第１の表示手段と、
前記表示されたファイルのリストから、１つ以上のファイルを選択する選択手段と、
前記選択手段により選択されたファイルを前記データ変換装置に通知する通知手段と、
前記通知手段によって通知されたファイルに対応する、前記第２のデータ形式で表現されるデータを受信して画像を表示する第２の表示手段とを備える、携帯通信端末。
【請求項４】
前記第２のデータ形式は、ベクター画像形式であり、
前記携帯通信端末は、前記第２のデータ形式によって表現されたデータに基づく画像を表示する倍率を指定する指定手段をさらに備え、
前記第２の表示手段は、前記指定手段によって指定された倍率に従って、前記画像を拡大又は縮小して表示する、請求項３に記載の携帯通信端末。
【請求項５】
電子メールを受信する機能と、前記電子メールに含まれるデータを第１のデータ形式および第２のデータ形式に変換する機能と、変換後のデータを送信する機能とを備えるデータ変換装置から、前記第１のデータ形式および前記第２のデータ形式に変換された各ファイルを受信する携帯通信端末であって、
前記データ変換装置から、前記第１のデータ形式のファイルあるいは前記第２のデータ形式のファイルを１つ以上受信する受信手段と、
前記受信手段によって受信されたファイルのうち１つ以上のファイルを選択する選択手段と、
いずれのファイルが選択されたかを、前記データ変換装置に通知する通知手段とを備える、携帯通信端末。
【請求項６】
電子メールを受信する機能と、前記電子メールに含まれるデータを第１のデータ形式および第２のデータ形式に変換する機能と、変換後のデータを送信する機能とを備えるデータ変換装置から、前記第１のデータ形式および前記第２のデータ形式に変換された各ファイルを受信する携帯通信端末であって、
前記データ変換装置から、前記第１のデータ形式のデータあるいは前記第２のデータ形式のファイルを１つ以上受信する受信手段と、
前記受信手段によって受信されたファイルのうち１つ以上のファイルを選択する選択手段と、
いずれのファイルが選択されたかを、前記データ変換装置に通知する通知手段とを備える、携帯通信端末。
【請求項７】
前記データ変換装置に、変換前のデータを縮小して表示するためのデータを要求する要求手段をさらに備える、請求項５または６に記載の携帯通信端末。
【請求項８】
前記第１のデータ形式のファイルあるいは前記第２のデータ形式のファイルは、変換前のデータを縮小して表示するためのデータである、請求項５に記載の携帯通信端末。
【請求項９】
前記変換前のデータを縮小して表示するためのデータは、ラスターデータであり、
前記いずれのファイルが選択されたかを前記データ変換装置に通知した後に受信されるデータは、ベクターデータである、請求項８に記載の携帯通信端末。
【請求項１０】
電子メールを受信するサーバ装置をデータ変換装置として機能させるためのプログラムであって、前記サーバ装置はデータを格納する記憶手段を含み、前記プログラムは前記サーバ装置に、
前記電子メールに添付されたファイルに含まれるデータを変換する変換ステップを実行させ、前記変換ステップは、
前記ファイルに含まれるデータを、予め定められた第１のデータ形式で表現されるデータに変換するステップと、
前記ファイルに含まれるデータを、予め定められた第２のデータ形式で表現されるデータに変換するステップとを含み、
さらに、前記プログラムは前記サーバ装置に、
データの変換により生成された、前記第１のデータ形式で表現されるデータと、前記第２のデータ形式で表現されるデータとを前記記憶手段に格納する記憶ステップと、
前記変換により生成された、前記第１のデータ形式で表現されるデータと、前記第２のデータ形式で表現されるデータとを送信するステップとを実行させる、プログラム。
【請求項１１】
前記第１のデータ形式で表現されるデータは、変換された前記ファイルのリストを表わすデータを含み、
前記第２のデータ形式で表現されるデータは、前記ファイルの変換により生成された画像であり、
前記記憶ステップは、前記リストを表わすデータと前記画像とを対応付けて、前記記憶手段に格納する、請求項１０に記載のプログラム。
【請求項１２】
請求項１１に記載のプログラムが実行されるサーバ装置とデータを送受信できる携帯通信端末を、表示装置として機能させるプログラムであって、
前記プログラムは携帯通信端末に、
前記サーバ装置から、前記第１のデータ形式で表現されるデータを受信するステップと、
受信されたデータに基づいて、前記ファイルのリストを表示するステップと、
表示されたリストから、１つ以上のファイルを選択する選択ステップと、
前記サーバ装置から、前記第２のデータ形式で表現されるデータを受信するステップと、
前記選択されたファイルに対応する、前記第２のデータ形式で表現されるデータを、前記サーバ装置からダウンロードするステップと、
ダウンロードされたデータに基づいて、前記ファイルに対応する画像を表示するステップとを実行させる、プログラム。
【手続補正２】
【補正対象書類名】明細書
【補正対象項目名】発明の名称
【補正方法】変更
【補正の内容】
【発明の名称】データ変換装置、携帯通信端末、サーバ装置をデータ変換装置として機能させるためのプログラム、および携帯通信端末を表示装置として機能させるためのプログラム
【手続補正３】
【補正対象書類名】明細書
【補正対象項目名】０００１
【補正方法】変更
【補正の内容】
【０００１】
本発明は、出力先の情報機器に応じてデータを変換して出力する技術に関し、特に、複数のデータ形式により表現されるファイルに変換することができるデータ変換装置、携帯通信端末、サーバ装置をデータ変換装置として機能させるためのプログラム、および携帯通信端末を表示装置として機能させるためのプログラムに関する。
【手続補正４】
【補正対象書類名】明細書
【補正対象項目名】０００７
【補正方法】変更
【補正の内容】
【０００７】
本発明の他の目的は、文書処理装置その他の装置によって処理された文書を表示することができる携帯通信端末を提供することである。
【手続補正５】
【補正対象書類名】明細書
【補正対象項目名】０００９
【補正方法】変更
【補正の内容】
【０００９】
本発明のさらに他の目的は、文書処理装置その他の装置によって処理された文書を表示することができる表示装置として携帯通信端末を機能させることができるプログラムを提供することである。
【手続補正６】
【補正対象書類名】明細書
【補正対象項目名】００１０
【補正方法】変更
【補正の内容】
【００１０】
上記の課題を解決するために、この発明のある局面に従うと、データ変換装置は、電子メールを受信する受信手段と、電子メールに添付されたファイルに含まれるデータを変換する変換手段とを備える。変換手段は、添付ファイルに含まれるデータを、予め定められた第１のデータ形式で表現されるデータへ変換する第１の変換手段と、添付ファイルに含まれるデータを、予め定められた第２のデータ形式で表現されるデータへ変換する第２の変換手段とを含む。データ変換装置は、さらに、変換により生成された第１のデータ形式で表現されるデータと、第２のデータ形式で表現されるデータとを格納する記憶手段と、第１の変換手段および第２の変換手段から出力されるデータを送信するための送信手段とを備える。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
好ましくは、第１のデータ形式で表現されるデータは、変換されたファイルのリストを表わすデータを含む。第２のデータ形式で表現されるデータは、ファイルの変換により生成された画像である。記憶手段は、ファイルのリストと画像とを対応付けて記憶する。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
この発明の他の局面に従うと、上記に記載のデータ変換装置とデータを送受信する携帯通信端末が提供される。この携帯通信端末は、第１のデータ形式で表現されるデータを受信して、ファイルのリストを表示する第１の表示手段と、表示されたファイルのリストから、１つ以上のファイルを選択する選択手段と、選択手段により選択されたファイルをデータ変換装置に通知する通知手段と、通知手段によって通知されたファイルに対応する、第２のデータ形式で表現されるデータを受信して画像を表示する第２の表示手段とを備える。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
好ましくは、第２のデータ形式は、ベクター画像形式である。携帯通信端末は、第２のデータ形式によって表現されたデータに基づく画像を表示する倍率を指定する指定手段をさらに備える。第２の表示手段は、指定手段によって指定された倍率に従って、画像を拡大又は縮小して表示する。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
この発明の他の局面に従うと、電子メールを受信する機能と、電子メールに含まれるデータを第１のデータ形式および第２のデータ形式に変換する機能と、変換後のデータを送信する機能とを備えるデータ変換装置から、第１のデータ形式および第２のデータ形式に変換された各ファイルを受信する携帯通信端末が提供される。この携帯通信端末は、データ変換装置から、第１のデータ形式のファイルあるいは第２のデータ形式のファイルを１つ以上受信する受信手段と、受信手段によって受信されたファイルのうち１つ以上のファイルを選択する選択手段と、いずれのファイルが選択されたかを、データ変換装置に通知する通知手段とを備える。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
この発明の他の局面に従うと、電子メールを受信する機能と、電子メールに含まれるデータを第１のデータ形式および第２のデータ形式に変換する機能と、変換後のデータを送信する機能とを備えるデータ変換装置から、第１のデータ形式および第２のデータ形式に変換された各ファイルを受信する携帯通信端末が提供される。この携帯通信端末は、データ変換装置から、第１のデータ形式のデータあるいは第２のデータ形式のファイルを１つ以上受信する受信手段と、受信手段によって受信されたファイルのうち１つ以上のファイルを選択する選択手段と、いずれのファイルが選択されたかを、データ変換装置に通知する通知手段とを備える。
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】変更
【補正の内容】
【００２２】
好ましくは、携帯通信端末は、データ変換装置に、変換前のデータを縮小して表示するためのデータを要求する要求手段をさらに備える。
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】変更
【補正の内容】
【００２４】
好ましくは、第１のデータ形式のファイルあるいは第２のデータ形式のファイルは、変換前のデータを縮小して表示するためのデータである。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
好ましくは、変換前のデータを縮小して表示するためのデータは、ラスターデータである。いずれのファイルが選択されたかをデータ変換装置に通知した後に受信されるデータは、ベクターデータである。
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】変更
【補正の内容】
【００２８】
この発明の他の局面に従うと、電子メールを受信するサーバ装置をデータ変換装置として機能させるためのプログラムが提供される。サーバ装置はデータを格納する記憶手段を含む。プログラムはサーバ装置に、電子メールに添付されたファイルに含まれるデータを変換する変換ステップを実行させる。変換ステップは、ファイルに含まれるデータを、予め定められた第１のデータ形式で表現されるデータに変換するステップと、ファイルに含まれるデータを、予め定められた第２のデータ形式で表現されるデータに変換するステップとを含む。さらに、プログラムはサーバ装置に、データの変換により生成された、第１のデータ形式で表現されるデータと、第２のデータ形式で表現されるデータとを記憶手段に格納する記憶ステップと、変換により生成された、第１のデータ形式で表現されるデータと、第２のデータ形式で表現されるデータとを送信するステップとを実行させる。
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】変更
【補正の内容】
【００３０】
好ましくは、第１のデータ形式で表現されるデータは、変換されたファイルのリストを表わすデータを含む。第２のデータ形式で表現されるデータは、ファイルの変換により生成された画像である。記憶ステップは、リストを表わすデータと画像とを対応付けて、記憶手段に格納する。
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】変更
【補正の内容】
【００３２】
この発明のさらに他の局面に従うと、上記のプログラムが実行されるサーバ装置とデータを送受信できる携帯通信端末を、表示装置として機能させるプログラムが提供される。このプログラムは、携帯通信端末に、サーバ装置から、第１のデータ形式で表現されるデータを受信するステップと、受信されたデータに基づいて、ファイルのリストを表示するステップと、表示されたリストから、１つ以上のファイルを選択する選択ステップと、サーバ装置から、第２のデータ形式で表現されるデータを受信するステップと、選択されたファイルに対応する、第２のデータ形式で表現されるデータを、サーバ装置からダウンロードするステップと、ダウンロードされたデータに基づいて、ファイルに対応する画像を表示するステップとを実行させる。
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４９
【補正方法】変更
【補正の内容】
【００４９】
本発明に係る携帯通信端末によると、文書処理装置その他の装置によって処理された文書を表示することができる。
【手続補正４５】
【補正対象書類名】明細書
【補正対象項目名】００５０
【補正方法】変更
【補正の内容】
【００５０】
本発明に係るプログラムによると、電子メールを受信するサーバ装置をデータ変換装置として機能させることができる。
【手続補正４６】
【補正対象書類名】明細書
【補正対象項目名】００５１
【補正方法】変更
【補正の内容】
【００５１】
本発明に係るプログラムによると、サーバ装置とデータを送受信できる携帯通信端末を、表示装置として機能させることができる。